(57)【要約】【課題】本発明は、二次電池及びこれを製造する方法に関する。【解決手段】本発明によると、第１電極、第２電極及び第１電極と第２電極との間に介在され、前記第１電極と第２電極を絶縁するセパレータを含む電極組立体と、底面及び前記底面の縁部から延長された側面を含んで構成され、前記電極組立体を収容する収容部を具備するポーチと、を具備し、前記ポーチは前記側面に少なくとも一つの整列突出部を具備し、前記電極組立体は、その縁部に前記ポーチの整列突出部に対応する整列溝部を具備することを特徴とする二次電池が提供される。【選択図】図１ａ
2011065996.tif 000002
【特許請求の範囲】
【請求項１】
第１電極、第２電極及びセパレータを含む電極組立体と、
電極組立体を収容する収容部を形成する底面及び前記底面の縁部から延長された側面を有するように構成されたポーチと、
前記ポーチの側面のうち少なくとも一側面または前記電極組立体の縁部のうち少なくとも一つの角に形成された少なくとも一つの整列溝部と、
前記電極組立体の角のうち少なくとも一つの角または前記ポーチの側面のうち一側面に形成された少なくとも一つの整列突出部と、を含み
前記整列溝部と整列突出部は、嵌合され、一直線に整列されたことを特徴とする二次電池。
【請求項２】
前記収容部は、前記ポーチの底面から形成され四角形である矩形のプリズムの形状を有し、
前記側面は四つの平面と四つの角を有し、
前記側面の四つの平面のうち隣接した二つの平面によって形成された各角には少なくとも一つの突出部を含むことを特徴とする請求項１に記載の二次電池。
【請求項３】
前記バッテリの密封部は、前記ポーチの側面から延長されたことを特徴とする請求項１に記載の二次電池。
【請求項４】
前記ポーチは、一つの中間層及び二つの外部層を含む３層の構造を有する請求項１に記載の二次電池。
【請求項５】
前記中間層は、金属材質のフィルムを含み、前記二つの外部層は絶縁材を含むことを特徴とする請求項４に記載の二次電池。
【請求項６】
前記金属は、アルミニウム（Ａｌ）または銅（Ｃｕ）を含むことを特徴とする請求項５に記載の二次電池。
【請求項７】
前記少なくとも一つの整列突出部は、９０度の中心角度を有する水平断面を有することを特徴とする請求項１に記載の二次電池。
【請求項８】
前記少なくとも一つの整列溝部は、前記電極組立体の内へ掘れた弧（ａｒｃ）形を有する水平断面であることを特徴とする請求項１に記載の二次電池。
【請求項９】
前記少なくとも一つの整列溝部は前記電極組立体の第１電極、第２電極及びセパレータのうち少なくとも一つに形成されたことを特徴とする請求項１に記載の二次電池。
【請求項１０】
前記電極組立体は、第１電極、セパレータ、第２電極が積層された積層構造を有することを特徴とする請求項１に記載の二次電池。
【請求項１１】
前記セパレータの大きさは、前記第１電極及び第２電極の大きさより大きいことを特徴とする請求項１０に記載の二次電池。
【請求項１２】
前記セパレータは、絶縁層のセパレータであり、前記第１電極または第２電極の全体表面上に提供され、前記第１電極及び第２電極が反復して積層されたことを特徴とする請求項１に記載の二次電池。
【請求項１３】
前記セパレータは、前記第１電極または第２電極の上部面及び下部面に提供された少なくとも一つの絶縁層セパレータを含み、第１電極及び第２電極は反復して積層され積層構造を形成することを特徴とする請求項１に記載の二次電池。
【請求項１４】
前記第１電極及び第２電極のうち一つの周辺の絶縁層セパレータの縁部を融着第１電極及び第２電極が積層構造を形成することを特徴とする請求項１３に記載の二次電池。
【請求項１５】
前記電極組立体は、第１電極リードと連結された第１電極タップ、第２電極リードと連結された第２電極タップを含み、前記タップとリードは、前記電極組立体の一面と前記ポーチの一側面との間に形成されたタップ収容空間内に収容されたことを特徴とする請求項１に記載の二次電池。
【請求項１６】
前記タップ収容空間は、タップと隣接した電極組立体の部分の幅を前記収容部の幅より小さく形成することによって提供することを特徴とする請求項１５に記載の二次電池。
【請求項１７】
前記ポーチは、前記ポーチの一側面に沿って形成された第１タップ収容部及び第２タップ収容部を含めて前記電極組立体の電極タップを収容することを特徴とする請求項１に記載の二次電池。
【請求項１８】
前記第１タップ収容部及び第２タップ収容部は、前記ポーチの側面のうち一側面から外部へ突出されたことを特徴とする請求項１７に記載の二次電池。
【請求項１９】
前記ポーチは、本体とカバーを含むことを特徴とする請求項１に記載の二次電池。
【請求項２０】
前記少なくとも一つの整列突出部は、複数の整列突出部を含み、前記本体は、前記本体の側面上の整列突出部を含み、前記各整列突出部は、半円横断面形状を有することを特徴とする請求項１９に記載の二次電池。
【請求項２１】
前記少なくとも一つの整列突出部は、複数の整列突出部を含み、前記本体は、前記本体の側面上の整列突出部を含み、前記各整列突出部は、四角横断面形状を有することを特徴とする請求項１９に記載の二次電池。
【請求項２２】
前記少なくとも一つの整列突出部は、複数の整列突出部を含み、前記本体は、前記本体の側面のコナーに前記整列突出部を含み、前記各整列突出部は、三角横断面形状を有することを特徴とする請求項１９に記載の二次電池。
【請求項２３】
前記少なくとも一つの整列溝部は、複数の整列溝部を含み、前記電極組立体は、前記本体の側面の前記整列突出部に対応する前記整列溝部を含むことを特徴とする請求項２０に記載の二次電池。
【請求項２４】
前記電極組立体は、前記本体の側面上に提供された複数の整列突出部に対応する複数の整列溝部を含むことを特徴とする請求項２１に記載の二次電池。
【請求項２５】
前記電極組立体は、前記本体の側面の角に提供された複数の整列突出部に対応する整列溝部を含むことを特徴とする請求項２２に記載の二次電池。
【請求項２６】
前記カバーは、前記本体と同一な形を有することを特徴とする請求項１９に記載の二次電池。
【請求項２７】
前記カバーは、底面及び前記底面の縁部から延長された側面を含み、前記カバーは、側面の少なくとも一側表面に形成された少なくとも一つも整列突出部を含むことを特徴とする請求項１９に記載の二次電池。
【請求項２８】
前記電極組立体は、一側部上に形成されたタップ溝部を含み、前記一側部から第１電極タップと第２電極タップが延長されたことを特徴とする請求項１に記載の二次電池。
【請求項２９】
収容部を有し、前記収容部内へ突出された少なくとも一つの整列突出部を含むポーチを製造するステップと、
少なくとも一つの前記整列突出部と嵌合する少なくとも一つの整列溝部を含むように第１電極、第２電極及びセパレータを製造するステップと、
前記収容部に前記第１電極、第２電極、セパレータを積層し、前記第１電極、セパレータ及び第２電極は、少なくとも一つの整列突出部が少なくとも一つの整列溝部に嵌合することによって整列されるステップと、
積層され配列された第１電極、第２電極、及びセパレータを有するポーチを密封するステップとを含む二次電池製造方法。
【発明の詳細な説明】
【技術分野】
【０００１】
本発明は、二次電池及びそれを製造する方法に関する。
【背景技術】
【０００２】
近年、電子、通信コンピューター産業の急速な発展によって、携帯用電子機器がますます普及してきている。携帯用電子機器の電源としては、充電が可能な二次電池が主に採用されている。
【０００３】
前記二次電池は、第１電極、第２電極及び前記第１電極と第２電極の間に介在され、前記第１電極と第２電極とを絶縁するセパレータを含む電極組立体及び前記電極組立体を収容するポーチを具備している。
【０００４】
前記電極組立体は、前記第１電極及び第２電極の整列が重要であるが、従来の二次電池では、別途の装置または工程を使用して前記第１電極及び第２電極が整列されていた。
【発明の開示】
【発明が解決しようとする課題】
【０００５】
本発明の目的は、第１電極及び第２電極の整列が容易な二次電池及びこれを製造する方法を提供することである。
【０００６】
本発明の他の目的は、第１電極、第２電極及びセパレータを含む電極組立体とポーチの組み立てが容易な二次電池及びこれを製造する方法を提供することである。
【０００７】
本発明の更に他の目的は、第１電極、第２電極及びセパレータを含む電極組立体と二重構造からなるポーチの組み立てが容易な二次電池及びこれを製造する方法を提供することである。
【課題を解決するための手段】
【０００８】
前記目的を達成するために、本発明の一側面によると、第１電極、第２電極及び第１電極と第２電極の間に介在され、第１電極と第２電極を絶縁するセパレータを含む電極組立体と、底面及び前記底面の縁部から延長された側面を含んで構成され、電極組立体を収容する収容部を具備するポーチと、を含み、ポーチは、側面に少なくとも一つの整列突出部を具備し、電極組立体は、その縁部にポーチの整列突出部に対応する整列溝部を具備していることを特徴とする二次電池が提供される。
【０００９】
前記目的を達成するために、本発明の他側面によると、収容部を具備し、収容部に向いて突出された少なくとも一つの整列突出部を具備したポーチを準備するステップと、整列突出部に対応する整列溝部を具備した第１電極、第２電極及びセパレータを準備するステップと、第１電極と第２電極の間に前記セパレータが介在されるように積層する際、整列突出部と溝部によって第１電極、第２電極及びセパレータそれぞれが整列されて積層されるようにするステップと、ポーチを密封するステップと、を含む二次電池の製造方法が提供される。
【発明の効果】
【００１０】
本発明の構成によると、上述した本発明の目的を全て達成することができる。具体的には、第１電極、第２電極の整列が容易な二次電池を提供するという効果がある。
【００１１】
また、本発明によると、第１電極、第２電極及びセパレータを含む電極組立体とポーチの組立が容易な二次電池を提供するという効果がある。
【００１２】
また、本発明によると、第１電極、第２電極及びセパレータを含む電極組立体と二重構造からなるポーチの組立が容易な二次電池を提供するという効果がある。
【図面の簡単な説明】
【００１３】
【図１ａ】本発明の一実施形態による二次電池の斜視図である。
【図１ｂ】本発明の一実施形態による二次電池の斜視図である。
【図１ｃ】本発明の一実施形態による二次電池の斜視図である。
【図１ｄ】本発明の一実施形態による二次電池の斜視図である。
【図１ｅ】本発明の一実施形態による二次電池の斜視図である。
【図１ｆ】本発明の一実施形態による二次電池の斜視図である。
【図２ａ】本発明の他の実施形態による二次電池の一部品であるポーチを示す図である。
【図２ｂ】本発明の他の実施形態による二次電池の一部品である電極組立体を示す図である。
【図３ａ】本発明のさらに他の実施形態による二次電池の一部品であるポーチを示す図である。
【図３ｂ】本発明のさらに他の実施形態による二次電池の一部品である電極組立体を示す図である。
【図４】本発明のさらに他の実施形態による二次電池を示す図である。
【図５ａ】本発明のさらに他の実施形態による二次電池の一部品であるポーチを示す図である。
【図５ｂ】本発明のさらに他の実施形態による二次電池の一部品である電極組立体を示す図である。
【図６ａ】本発明のさらに他の実施形態による二次電池の一部品であるポーチを示す図である。
【図６ｂ】本発明のさらに他の実施形態による二次電池の一部品である電極組立体を示す図である。
【図７ａ】本発明のさらに他の実施形態による二次電池の一部品であるポーチを示す図である。
【図７ｂ】本発明のさらに他の実施形態による二次電池の一部品である電極組立体を示す図である。
【図８】本発明のさらに他の実施形態による二次電池を示す図である。
【図９ａ】本発明の一実施形態による二次電池を製造する方法を示す図である。
【図９ｂ】本発明の一実施形態による二次電池を製造する方法を示す図である。
【図９ｃ】本発明の一実施形態による二次電池を製造する方法を示す図である。
【図１０ａ】本発明の他の実施形態による二次電池を製造する方法を示す図である。
【図１０ｂ】本発明の他の実施形態による二次電池を製造する方法を示す図である。
【図１０ｃ】本発明の他の実施形態による二次電池を製造する方法を示す図である。
【図１１ａ】本発明の更に他の実施形態による二次電池を製造する方法を示す図である。
【図１１ｂ】本発明の更に他の実施形態による二次電池を製造する方法を示す図である。
【図１１ｃ】本発明の更に他の実施形態による二次電池を製造する方法を示す図である。
【図１２ａ】本発明の更に他の実施形態による二次電池を製造する方法を示す図である。
【図１２ｂ】本発明の更に他の実施形態による二次電池を製造する方法を示す図である。
【図１２ｃ】本発明の更に他の実施形態による二次電池を製造する方法を示す図である。
【発明を実施するための形態】
【００１４】
以下、添付した図面を参照して、本発明による実施形態を詳細に説明する。
【００１５】
図１ａ乃至図１ｆは、本発明の一実施形態による二次電池を示す図である。ここで、図１ｂは本発明の一実施形態による二次電池の一部品であるポーチを示す図であり、図１ｃは本発明の一実施形態による二次電池の一部品である電極組立体を示す図であり、図１ｄ乃至図１ｆは本発明の一実施形態による二次電池の一部品である電極組立体の第１電極、第２電極及びセパレータが積層された構造を示す図である。
【００１６】
図１ａ乃至図１ｆを参照して説明すると、本発明の一実施形態による二次電池１００は、ポーチ１１０及び電極組立体１２０を含む。
【００１７】
前記ポーチ１１０は整列突出部１３０を具備しており、前記電極組立体１２０は整列溝部１４０を具備している。
【００１８】
また、前記二次電池１００は、保護回路モジュール１５０を含む。
【００１９】
前記ポーチ１１０は、本体１１２及びカバー１１４を具備している。
【００２０】
前記本体１１２は、前記電極組立体１２０を収容する空間である収容部１１６を具備している。
【００２１】
前記本体１１２は、底面１１２ａ及び前記底面１１２ａから延長された側面１１２ｂを含んでおり、前記底面１１２ａと側面１１２ｂによって形成された空間である前記収容部１１６を具備している。
【００２２】
図１ａでは、前記収容部１１６が六面体として示されているため、前記底面１１２ａは四角形からなり、前記側面１１２ｂは四つの面からなり、前記側面１１２ｂの四つのうち隣接した二つの面が互いに繋がる部分である四つの角を具備している。
【００２３】
前記本体１１２は、前記収容部１１６の入り口、すなわち前記側面１１２ｂから延長され拡張された密封部１１２ｃを具備している。
【００２４】
前記カバー１１４は、前記本体１１２の密封部１１２ｃのいずれかの縁部から延長されている。
【００２５】
前記カバー１１４は、前記収容部１１６を完全に蓋いながら、前記本体１１２の密封部１１２ｃと密封されて前記二次電池１１０を密封するようになるため、前記カバー１１４は前記収容部１１６に対応する蓋領域１１４ａ及び密封部１１４ｂを具備している。
【００２６】
前記ポーチ１１０は、高硬度の部材からなることが好ましい。図１ａに示したように、前記ポーチ１１０は三つの層１１８ａ、１１８ｂ、１１８ｃからなってもよく、前記三つの層１１８ａ、１１８ｂ、１１８ｃのうち中間層１１８ａはアルミニウム又は銅などのような金属材質のフィルムからなり、外部層１１８ｂ、１１８ｃは高分子又はセラミックなどのような絶縁層からなることが好ましい。
【００２７】
前記中間層１１８ａを構成している前記アルミニウムは、その厚さが５０μｍ以上であることが好ましく、前記銅は２０μｍ以上であることが好ましい。しかし、厚さは材料だけではなく、電極組立体１２０と収容部１１６の大きさによって変わることができる。
【００２８】
前記ポーチ１１０は、前記収容部１１６の側面１１２ｂに少なくとも一つの整列突出部１３０を具備している。
【００２９】
この際、図１ｂでは前記整列突出部１３０が前記側面１１２ｂの角に具備されていると図示しているが、前記側面１１２ｂのいずれに具備されても構わない。また、図１ｂでは、前記整列突出部１３０はその水平断面の中心角が９０度である扇形１３２（図１ｂに斜線で示した領域）であると図示しているがこれに限らない。
【００３０】
前記電極組立体１２０は、第１電極１２１、第２電極１２２及び前記第１電極１２１と第２電極１２２の間に介在され、前記第１電極１２１と第２電極１２２を絶縁するセパレータ１２３を含んでいる。
【００３１】
前記電極組立体１２０は、複数の前記第１電極１２１及び第２電極１２２が反復して積層されており、前記第１電極１２１及び第２電極１２２の間には前記セパレータ１２３が介在された形で具備されている。
【００３２】
複数の前記第１電極１２１は、少なくとも一側表面上に第１電極活物質層を具備し、複数の前記第２電極１２２は、少なくとも一側表面上に第２電極活物質層を具備している。
【００３３】
この際、前記第１電極１２１は正極で、前記第２電極１２２は負極である。これとは逆に、前記第１電極１２１が負極で、前記第２電極１２２が正極であってもよい。
【００３４】
前記電極組立体１２０は、前記第１電極１２１から延長された第１電極タップ１２４及び前記第２電極１２２から延長された第２電極タップ１２５を具備している。また、前記電極組立体１２０は、前記第１電極タップ１２４に連結された第１電極リード１２６及び第２電極タップ１２５に連結された第２電極リード１２７を具備している。
【００３５】
前記第１電極リード１２６及び第２電極リード１２７は、それぞれ所定領域に絶縁テープ１２８を具備して前記ポーチ１１０を密封する際、前記第１電極リード１２６及び第２電極リード１２７が損傷されることを防止するだけでなく、前記ポーチ１１０との絶縁を維持させる役割を果たす。
【００３６】
前記電極組立体１２０は、その縁部に前記ポーチ１１０の整列突出部１３０に対応する整列溝部１４０を少なくとも一つ具備している。
【００３７】
前記整列溝部１４０は、図１ｃに示したように、前記電極組立体１２０の内側に弧（ａｒｃ）形で形成されている。この際、前記整列溝部１４０の弧は、前記整列突出部１３０の扇形１３２（図１ｃに斜線で示した領域）の弧と同じ形を成していることが好ましい。
【００３８】
前記整列溝部１４０は、前記電極組立体１２０の構成要素のうちいずれか一つ以上、すなわち、前記第１電極１２１、第２電極１２２及びセパレータ１２３のうちいずれか一つ以上、好ましくは前記第１電極１２１、第２電極１２２及びセパレータ１２３それぞれに形成され、複数の前記第１電極１２１、第２電極１２２及びセパレータ１２３が前記ポーチ１１０の収容部１１６内に収容された際、複数の前記第１電極１２１、第２電極１２２及びセパレータ１２３の整列を容易にする。しかし、前記整列溝部１４０は、前記第１電極１２１、第２電極１２２及びセパレータ１２３の全部に形成される必要はない。
【００３９】
この際、前記整列溝部１４０を具備した電極組立体１２０は、図１ｄ乃至図１ｆに示した電極組立体１２０ａ、１２０ｂ、１２０ｃと同じ形で具備されてもよい。
【００４０】
図１ｄに示した電極組立体１２０ａは、第１電極１２１ａ、セパレータ１２３ａ及び第２電極１２２ａが積層された形で具備される。
【００４１】
この際、電極組立体１２０ａは、前記セパレータ１２３ａが前記第１電極１２１ａ及び第２電極１２２ａの大きさより大きい形で具備される。好ましくは前記セパレータ１２３ａが最も大きくて、前記第２電極１２２ａが中間で、前記第１電極１２１ａが最も小さいという大きさで具備される。これは前記第１電極１２１ａが正極で、前記第２電極１２２ａが負極である場合に対応し、前記第１電極１２１ａが負極で、前記第２電極１２２ａが正極である場合には、前記第１電極１２１ａの大きさが前記第２電極１２２ａの大きさより大きい形で具備される。
【００４２】
一方、前記第１電極１２１ａ、セパレータ１２３ａ及び第２電極１２２ａはそれぞれ整列溝部１４０ａを具備している。このため、前記電極組立体１２０ａ、正確には前記電極組立体１２０ａの構成要素である前記第１電極１２１ａ、セパレータ１２３ａ及び第２電極１２２ａそれぞれが前記収容部１１６に収容される際に整列が容易に行われるようになる。
【００４３】
従って、図１ｄに示した前記電極組立体１２０ａは、大きさが最も大きな前記セパレータ１２３ａを間において、前記第１電極１２１ａ及び前記第２電極１２２ａが積層されており、前記第１電極１２１ａ及び第２電極１２２ａは、前記セパレータ１２３ａによって絶縁される。
【００４４】
また、前記セパレータ１２３ａが最も大きく、前記第１電極１２１ａ及び第２電極１２２ａは前記セパレータ１２３ａより小さいため、前記第１電極１２１ａ及び第２電極１２２ａは前記セパレータ１２３ａを間に挟んで互いに対向するようになる。
【００４５】
この際、前記第１電極１２１ａが前記第２電極１２２ａより小さい場合、図１ｄに示したセパレータ１２３ａの表面上の点線のように前記第１電極１２１ａ全体が前記第２電極１２２ａの一部に対向する形で整列される。
【００４６】
前記電極組立体１２０が図１ｄに示した電極組立体１２０ａとして具備されれば、前記図１ｃに示した電極組立体１２０の輪郭は前記セパレータ１２３ａの輪郭を示したものであるといえ、前記整列溝部１４０ａの輪郭もまた、前記セパレータ１２３ａの整列溝部１４０ａの輪郭を示したものであるといえる。
【００４７】
図１ｅに示した電極組立体１２０ｂは、第１電極１２１ｂ又は第２電極１２２ｂ全体の表面に絶縁膜セパレータ１２３ｂを具備し、前記絶縁膜セパレータ１２３ｂを具備した前記第１電極１２１ｂ及び第２電極１２２ｂが反復的に積層された形で具備されている。
【００４８】
従って、図１ｅに示した電極組立体１２０ｂは、前記図１ｄに示したセパレータ１２３ａを具備しておらず、前記セパレータ１２３ａと同じ役割を果たす前記絶縁膜セパレータ１２３ｂを具備している。すなわち、前記絶縁膜セパレータ１２３ｂは、前記第１電極１２１ｂ及び第２電極１２２ｂの表面に具備され、前記第１電極１２１ｂ及び第２電極１２２ｂを絶縁する。
【００４９】
この際、図１ｅでは前記第１電極１２１ｂ及び第２電極１２２ｂの両方に絶縁膜セパレータ１２３ｂを具備するものとして示されているが、必要ならば前記第１電極１２１ｂ及び第２電極１２２ｂのうちいずれか一つだけに具備してもよい。
【００５０】
図１ｅでは、前記第１電極タップ１２４及び第２電極タップ１２５の一部分に前記絶縁膜セパレータ１２３ｂを具備するものとして示されているが、これは前記絶縁膜セパレータ１２３ｂが具備されていない領域をそれぞれ第１電極リード１２６及び第２電極リード１２７と連結するために具備された領域である。
【００５１】
一方、前記第１電極１２１ｂ及び第２電極１２２ｂはそれぞれ整列溝部１４０ｂを具備している。このため、前記電極組立体１２０ｂ、正確には前記電極組立体１２０ｂの構成要素である前記第１電極１２１ｂ及び第２電極１２２ｂそれぞれが前記収容部１１６に収容される際、整列が容易に行われるようになる。
【００５２】
従って、図１ｅに示した前記電極組立体１２０ｂは、前記絶縁膜セパレータ１２３ｂを具備した前記第１電極１２１ｂ及び前記第２電極１２２ｂが積層されており、前記第１電極１２１ｂ及び第２電極１２２ｂは、前記第１電極１２１ｂ又は第２電極１２２ｂの表面上に具備された前記絶縁膜セパレータ１２３ｂによって絶縁される。
【００５３】
前記電極組立体１２０が図１ｅに示した電極組立体１２０ｂとして具備されれば、前記図１ｃに示した電極組立体１２０の輪郭は前記セパレータ１２３ｂの輪郭を示したものであるといえ、前記整列溝部１４０の輪郭もまた、前記絶縁膜セパレータ１２３ｂの整列溝部１４０ｂの輪郭を示したのであるといえる。
【００５４】
図１ｆに示した電極組立体１２０ｃは、第１電極１２１ｃ又は第２電極１２２ｃの二枚のセパレータ１２３ｃによって外部と絶縁される形で具備され、前記第１電極１２１ｃ及び第２電極１２２ｃが反復的に積層された形で具備されている。
【００５５】
この際、図１ｆでは前記第１電極１２１ｃに二枚のセパレータ１２３ｃによって外部と絶縁される形を示しているが、必要ならば、前記第２電極１２２ｃが２枚のセパレータ１２３ｃによって外部と絶縁される形で具備されてもよく、前記第１電極１２１ｃ及び第２電極１２２ｃがそれぞれ二枚のセパレータ１２３ｃによって外部と絶縁される形で具備されてもよい。
【００５６】
この際、前記第１電極１２１ｃ又は第２電極１２２ｃが二枚のセパレータ１２３ｃによって外部と絶縁される形は、前記第１電極１２１ｃ又は第２電極１２２ｃを間に挟んで二枚のセパレータ１２３ｃが両側に具備された状態で前記二枚のセパレータ１２３ｃの縁面を融着させるので可能になる。前記二枚のセパレータ１２３ｃの融着は、超音波融着又は熱融着によって行うことができる。
【００５７】
一方、図１ｆでは、前記二枚のセパレータ１２３ｃが融着された第１電極１２１ｃの大きさと前記第２電極１２２ｃの大きさが同じものとして示されているが、これは前記２枚のセパレータ１２３ｃが融着された第１電極１２１ｃと前記第２電極１２２ｃが前記収容部１１６の整列突出部１３０によって整列される際、容易に整列されるようにするためである。
【００５８】
一方、前記二枚のセパレータ１２３ｃが融着された第１電極１２１ｃと前記第２電極１２２ｃはそれぞれ整列溝部１４０ｃを具備している。このため、前記電極組立体１２０ｃ、正確には前記電極組立体１２０ｃの構成要素である前記二枚のセパレート１２３ｃが融着された第１電極１２１ｃ及び第２電極１２２ｃそれぞれが前記収容部１１６に収容される際、整列が容易に行うことができる。
【００５９】
従って、図１ｆに示した前記電極組立体１２０ｃは、前記第１電極１２１ｃ又は第２電極１２２ｃに二枚のセパレータ１２３ｃが融着されて具備され、前記第１電極１２１ｃ及び第２電極１２２ｃが反復して積層されており、前記第１電極１２１ｃ又は第２電極１２２ｃに融着されて具備されたセパレータ１２３ｃによって前記第１電極１２１ｃと第２電極１２２ｃの間が絶縁される。
【００６０】
前記電極組立体１２０が図１ｆに示した電極組立体１２０ｃとして具備されれば、前記図１ｃに示した電極組立体１２０の輪郭は前記セパレータ１２３ｃの輪郭又は前記二枚のセパレータ１２３ｃが融着されていない第１電極１２１ｃ又は第２電極１２２の輪郭を示したものであるといえ、前記整列溝部１４０の輪郭もまた、前記絶縁膜セパレータ１２３ｃの整列溝部１４０ｃ又は前記二枚のセパレータ１２３ｃが融着されていない第１電極１２１ｃ又は第２電極１２２ｃの整列溝部１４０ｃの輪郭を示したのであるといえる。
【００６１】
前記保護回路モジュール１５０は前記電極組立体１２０の充放電を制御するだけでなく、前記二次電池１００の動作を制御する役割を果たす。
【００６２】
前記保護回路モジュール１５０は、ＩＣ素子などのような制御素子１５２を具備しており、前記二次電池１００に過電流が流れることを防止する。
【００６３】
また、前記保護回路モジュール１５０は、前記二次電池１００を外部機器と連結する外部端子１５４を具備している。
【００６４】
この際、図１ａでは、前記制御素子１５２及び外部端子１５４が前記保護回路モジュール１５０の同じ面に具備されているものとして示されているが、前記制御素子１５２及び外部端子１５４はそれぞれ異なる面に具備されても構わない。
【００６５】
前記保護回路モジュール１５０は、前記第１電極リード１２６及び第２電極リード１２７と電気的に接続されている。
【００６６】
従って、本発明の一実施形態による二次電池１００では、前記ポーチ１１０が本体１１２の側面１１２ｂに少なくとも一つの整列突出部１３０を具備し、前記電極組立体１２０はその縁部に前記整列突出部１３０に対応する整列溝部１４０を具備しているので、前記電極組立体１２０の第１電極１２１、第２電極１２２及びセパレータ１２３の整列が容易である。
【００６７】
一方、上述した説明ではポーチに整列突出部が形成され、電極組立体に整列溝部が形成された構造を例に挙げて説明したが、本発明はこれに限らない。すなわちポーチには整列溝部が、電極組立体には整列突出部が形成されてもよい。
【００６８】
図２ａ及び図２ｂは、本発明の他の実施形態による二次電池の一部品であるポーチ及び電極組立体を示す図である。本実施形態では、前記ポーチ及び電極組立体をそれぞれ別途の図面で示しているが、実際には図１ａを参照して説明した二次電池１００のように組み立てられていることに留意する。
【００６９】
図２ａ及び図２ｂを参照して説明すると、本発明の他の実施形態による二次電池は、ポーチ２１０及び電極組立体２２０を含んでいる。
【００７０】
前記ポーチ２１０は扇形２３２（図２ａ及び図２ｂに斜線で示した領域）の整列突出部２３０を具備しており、前記電極組立体２２０は整列溝部２４０を具備している。
【００７１】
また、前記二次電池は、保護回路モジュール２５０を含む。
【００７２】
前記ポーチ２１０は、本体２１２及びカバー２１４を具備している。
【００７３】
前記ポーチ２１０の本体２１２及びカバー２１４は、図１ａ乃至図１ｃを参照して説明した本体１１２及びカバー１１４に対応し、前記整列突出部２３０は前記図１ｂを参照して説明した整列突出部１３０に対応するため、その構成要素に対する詳細な説明は省する。
【００７４】
前記電極組立体２２０は、第１電極（図示せず）、第２電極（図示せず）及びセパレータ（図示せず）、第１電極タップ２２４、第２電極タップ２２５、第１電極リード２２６、第２電極リード２２７及び絶縁テープ２２８を具備しており、前記第１電極（図示せず）、第２電極（図示せず）及びセパレータ（図示せず）、第１電極タップ２２４、第２電極タップ２２５、第１電極リード２２６、第２電極リード２２７及び絶縁テープ２２８は、それぞれ図１ａ乃至図１ｃを参照して説明した第１電極１２１、第２電極１２２及びセパレータ１２３、第１電極タップ１２４、第２電極タップ１２５、第１電極リード１２６、第２電極１２７及び絶縁テープ１２８に対応するため、その構成要素に対する詳細な説明は省略する。
【００７５】
前記電極組立体２２０は、前記電極組立体２２０の一側面からそれぞれ延長される第１電極タップ２２４及び第２電極タップ２２５を具備している。
【００７６】
前記電極組立体２２０は、複数個の前記第１電極２２１及び第２電極２２２が積層されているため、それぞれ複数個の第１電極タップ２２４及び第２電極タップ２２５を具備し、前記複数個の第１電極タップ２２４及び第２電極タップ２２５はそれぞれ第１電極リード２２６及び第２電極リード２２７と連結される。
【００７７】
この際、前記第１電極リード２２６及び第２電極リード２２７と連結される複数の前記第１電極タップ２２４と第２電極タップ２２５の一部は、前記電極組立体２２０の一側面と前記本体２１２の間に具備されたタップ収容空間２６０に収容される。
【００７８】
前記タップ収容空間２６０は、前記電極組立体２２０の幅を前記収容部２１６の幅より小さくすることで具備することができる。
【００７９】
前記タップ収容空間２６０は、前記電極組立体２２０に具備された複数の前記整列溝部２４０のうち前記電極組立体２２０の一側面に位置した複数の前記整列溝部２４０を、前記電極組立体２２０の他側面に具備された複数の前記整列溝部２４０に比べて弧の長さを短くすることで具備することができる。
【００８０】
従って、前記電極組立体２２０は、前記第１電極タップ２２４及び第２電極タップ２２５が延長される一側面は前記本体２１２の側面と接触せず、前記第１電極タップ及び第２電極タップ２２５が延長されていない他側面は、前記本体２１２の側面とは接触して具備される。
【００８１】
前記保護回路モジュール２５０は、制御素子２５２及び外部端子２５４を具備し、前記制御素子２５２及び外部端子２５４を具備した前記保護回路モジュールは、図１ａ乃至図１ｃを参照して説明した前記制御素子１５２及び外部端子１５４を具備した前記保護回路モジュール１５０に対応するので、詳細な説明は省略する。
【００８２】
図３ａ及び図３ｂは、本発明の更に他の実施形態による二次電池の一部品であるポーチ及び電極組立体を示した図である。本実施形態では、前記ポーチ及び電極組立体をそれぞれ別途の図面で説明しているが、実際には図１ａを参照して説明した二次電池１００のように組み立てられていることに留意する。
【００８３】
図３ａ及び図３ｂを参照して説明すると、本発明の更に他の実施形態による二次電池は、ポーチ３１０及び電極組立体３２０を含んでいる。
【００８４】
前記ポーチ３１０は、扇形３３２（図３ａ及びず３ｂに斜線で示した領域）の整列突出部３３０を具備しており、前記電極組立３２０は整列溝部３４０を具備している。
【００８５】
また、前記二次電池は、保護回路モジュール３５０を含む。
【００８６】
前記ポーチ３１０は、本体３１２及びカバー３１４を具備している。
【００８７】
前記ポーチ３１０の本体３１２及びカバー３１４は図１ａ乃至図１ｃを参照して説明した本体１１２及びカバー１１４に対応し、前記整列突出部３３０は前記図１ｂを参照して説明した整列突出部１３０に対応するため、その構成要素に対する詳細な説明は省略する。
【００８８】
前記電極組立体３２０は、第１電極（図示せず）、第２電極（図示せず）及びセパレータ（図示せず）、第１電極タップ３２４、第２電極タップ３２５、第１電極リード３２６、第２電極リード３２７及び絶縁テープ３２８を具備しており、前記第１電極（図示せず）、第２電極（図示せず）及びセパレータ（図示せず）、第１電極タップ３２４、第２電極タップ３２５、第１電極リード３２６、第２電極リード３２７及び絶縁テープ３２８は、それぞれ図１ａ乃至図１ｃを参照して説明した第１電極１２１、第２電極１２２及びセパレータ１２３、第１電極タップ１２４、第２電極タップ１２５、第１電極リード１２６、第２電極リード１２７及び絶縁テープ１２８に対応するため、その構成要素に対する詳細な説明は省略する。
【００８９】
前記電極組立体３２０は、前記電極組立体３２０の一側面からそれぞれ延長される第１電極タップ３２４及び第２電極タップ３２５を具備している。前記電極組立体３２０は前記保護回路モジュール３５０と連結される。
【００９０】
前記電極組立体３２０は、複数個の前記第１電極３２１及び第２電極３２２が積層されているため、それぞれ複数個の第１電極タップ３２４及び第２電極タップ３２５を具備し、前記複数個の第１電極タップ３２４及び第２電極タップ３２５はそれぞれ第１電極リード３２６及び第２電極リード３２７と連結される。
【００９１】
この際、前記第１電極リード３２６及び第２電極リード３２７と連結される複数の前記第１電極タップ３２４と第２電極タップ３２５の一部は前記収容部３１６に収容される。
【００９２】
前記電極組組立体３２０は、複数の前記第１電極タップ３２４及び第２電極タップ３２５が延長される一側面にタップ溝部３６０を具備することで、複数の前記第１電極タップ３２４と第２電極タップ３２５の一部が前記収容部３１６に収容できるようにする。
【００９３】
すなわち、前記電極組立体３２０の構成要素である複数の第１電極及び第２電極それぞれが前記タップ溝部３６０を具備し、前記タップ溝部３６０から複数の前記第１電極タップ３２４及び第２電極タップ３２５が延長されることで、複数の前記第１電極タップ３２４と第２電極タップ３２５の一部を前記収容部３１６に収容できる。
【００９４】
前記保護回路モジュール３５０は制御素子３５２及び外部端子３５４を具備し、前記制御素子３５２及び外部端子３５４を具備した前記保護回路モジュール３５０は図１ａ乃至図１ｃを参照して説明した前記制御素子１５２及び外部端子１５４を具備した前記保護回路モジュール１５０に対応するため、詳細な説明は省略する。
【００９５】
図４は、本発明の更に他の実施形態による二次電池を示す図である。
【００９６】
図４を参照して説明すると、本発明の更に他の実施形態による二次電池４００は、ポーチ４１０及び電極組立体４２０を含んでいる。
【００９７】
前記ポーチ４１０は、扇形４３２（図４に斜線で示した領域）の整列突出部４３０を具備しており、前記電極組立４２０は整列溝部４４０を具備している。
【００９８】
また、前記二次電池は、保護回路モジュール４５０を含む。
【００９９】
前記ポーチ４１０は、底部４１２ａ、側面４１２ｂ及び密封部４１２ｃを含む本体４１２を具備し、前記ポーチ４１０は蓋領域４１４ａ及び密封部４１４ｂを含むカバー４１４を具備している。
【０１００】
前記ポーチ４１０の本体４１２及びカバー４１４は図１ａ乃至図１ｃを参照して説明した本体１１２及びカバー１１４に対応し、前記整列突出部４３０は前記図１ｂを参照して説明した整列突出部１３０に対応するため、その構成要素に対する詳細な説明は省略する。
【０１０１】
前記電極組立体４２０は、第１電極４２１、第２電極４２２及びセパレータ４２３、第１電極タップ４２４、第２電極タップ４２５、第１電極リード４２６、第２電極リード４２７及び絶縁テープ４２８を具備しており、前記第１電極４２１、第２電極４２２及びセパレータ４２３、第１電極タップ４２４、第２電極タップ４２５、第１電極リード４２６、第２電極リード４２７及び絶縁テープ４２８は、それぞれ図１ａ乃至図１ｃを参照して説明した第１電極１２１、第２電極１２２及びセパレータ１２３、第１電極タップ１２４、第２電極タップ１２５、第１電極リード１２６、第２電極リード１２７及び絶縁テープ１２８に対応するため、その構成要素に対する詳細な説明は省略する。
【０１０２】
前記電極組立体４２０は、前記電極組立体４２０の一側面からそれぞれ延長される第１電極タップ４２４及び第２電極タップ４２５を具備している。
【０１０３】
前記電極組立体４２０は、複数個の前記第１電極４２１及び第２電極４２２が積層されているため、それぞれ複数個の第１電極タップ４２４及び第２電極タップ４２５を具備し、前記複数個の第１電極タップ４２４及び第２電極タップ４２５はそれぞれ第１電極リード４２６及び第２電極リード４２７と連結される。
【０１０４】
この際、前記第１電極リード４２６及び第２電極リード４２７と連結される複数の前記第１電極タップ４２４と第２電極タップ４２５の一部は、それぞれ第１タップ収容部４６２及び第２タップ収容部４６４に収容される。
【０１０５】
前記第１タップ収容部４６２は、前記本体４１２の側面４１２ｂのうち前記電極組立体４２０の第１電極タップ４２４に対応する側面４１２ｂ１が外部に向いて突出されることで具備される。
【０１０６】
前記第２タップ収容部４６４は、前記本体４１２の側面４１２ｂのうち前記電極組立体４２０の第２電極タップ４２５に対応する側面４１２ｂ２が外部に向いて突出されることで具備される。
【０１０７】
前記第１タップ収容部４６２及び第２タップ収容部４６４は、それぞれ前記側面４１２ｂの一部が外部に向いて突出されて具備されることで、前記収容部４１５が拡張された空間であるといえる。
【０１０８】
前記保護回路モジュール４５０は制御素子４５２及び外部端子４５４を具備し、前記制御素子４５２及び外部端子４５４を具備した前記保護回路モジュール４５０は図１ａ乃至図１ｃを参照して説明した前記制御素子１５２及び外部端子１５４を具備した前記保護回路モジュール１５０に対応するため、詳細な説明は省略する。
【０１０９】
図５ａ及び図５ｂは、本発明の更に他の実施形態による二次電池の一部品であるポーチ及び電極組立体を示す図である。本実施形態では、前記ポーチ及び電極組立体をそれぞれ別途の図面で示しているが、実際には図１ａを参照して説明した二次電池１００と同じく組み立てられていることに留意する。
【０１１０】
図５ａ及び図５ｂを参照して説明すると、本発明の更に他の実施形態による二次電池は、ポーチ５１０及び電極組立体５２０を含んでいる。
【０１１１】
また、前記二次電池は、保護回路モジュール５５０を含む。
【０１１２】
前記ポーチ５１０は、本体５１２及びカバー５１４を具備している。
【０１１３】
前記ポーチ５１０の本体５１２及びカバー５１４は図１ａ乃至図１ｃを参照して説明した本体１１２及びカバー１１４に対応するため、その構成要素に対する詳細な説明は省略する。
【０１１４】
前記本体５１２は整列突出部５３０を具備している。前記図１ａ乃至図１ｃを参照して説明した整列突出部１３０は側面１１２ｂの角に具備されてその水平断面の形状が扇形１３２で具備されているが、本実施形態による前記整列突出部５３０は前記本体５１２の側面５１２ｂに具備されるため、図５ａに示したように半円形５３２（図５ａに斜線で示した領域）で具備される。
【０１１５】
この際、図５ａでは前記整列突出部５３０が前記本体５１２に具備された四つの側面５１２ｂ全てに具備されているものとして示されているが、第１電極タップ５２４及び第２電極タップ５２５が延長される前記電極組立体５２０の一側面に対応する側面５１２ｂの所定領域と、前記電極組立体５２０の一側面に対向する他側面に対応する側面５１２ｂの所定領域に二つの整列突出部５３０が具備されてもよい。
【０１１６】
しかし，前記整列突出部５３０は前記本体５１２の他側面５１２ｂのに他の個数だけ配置されることができるし、場合によっては前記整列突出部５３０は前記本体５１２の他側面５１２ｂの一部に配置されれば残り側面には前記整列突出部５３０が配置されなくてもよい。
【０１１７】
前記電極組立体５２０は、第１電極（図示せず）、第２電極（図示せず）及びセパレータ（図示せず）、第１電極タップ５２４、第２電極タップ５２５、第１電極リード５２６、第２電極リード５２７及び絶縁テープ５２８を具備しており、前記第１電極（図示せず）、第２電極（図示せず）及びセパレータ（図示せず）、第１電極タップ５２４、第２電極タップ５２５、第１電極リード５２６、第２電極リード５２７及び絶縁テープ５２８は、それぞれ図１ａ乃至図１ｃを参照して説明した第１電極１２１、第２電極１２２及びセパレータ１２３、第１電極タップ１２４、第２電極タップ１２５、第１電極リード１２６、第２電極リード１２７及び絶縁テープ１２８に対応するため、その構成要素に対する詳細な説明は省略する。
【０１１８】
前記電極組立体５２０は、前記整列突出部５３０に対応する縁部に整列溝部５４０を具備する。
【０１１９】
この際、前記整列溝部５４０は、図５ｂに示したように、前記電極組立体５２０の四つの側面全てに具備されてもよく、前記第１電極タップ５２４及び第２電極タップ５２５が延長された一側面及び前記電極組立体５２０の一側面と対向する他側面の両領域に具備されてもよい。
【０１２０】
しかし，前記整列溝部５４０は前記電極組立体５２０の他側面に他の個数だけ配置されることができるし、場合によっては前記整列溝部５４０は前記電極組立体５２０の他側面の一部に配置されれば残り側面には前記整列溝部５４０が配置されなくてもよい。
【０１２１】
前記保護回路モジュール５５０は制御素子５５２及び外部端子５５４を具備し、前記制御素子５５２及び外部端子５５４を具備した前記保護回路モジュール５５０は図１ａ乃至図１ｃを参照して説明した前記制御素子１５２及び外部端子１５４を具備した前記保護回路モジュール１５０に対応するため、詳細な説明は省略する。
【０１２２】
図６ａ及び図６ｂは、本発明の更に他の実施形態による二次電池の一部品であるポーチ及び電極組立体を示す図である。本実施形態では、前記ポーチ及び電極組立体をそれぞれ別途の図面で示しているが、実際には図１ａを参照して説明した二次電池１００と同じく組み立てられていることに留意する。
【０１２３】
図６ａ及び図６ｂを参照して説明すると、本発明の更に他の実施形態による二次電池は、ポーチ６１０及び電極組立体６２０を含んでいる。
【０１２４】
また、前記二次電池は、保護回路モジュール６５０を含む。
【０１２５】
前記ポーチ６１０は、本体６１２及びカバー６１４を具備している。
【０１２６】
前記ポーチ６１０の本体６１２及びカバー６１４は図１ａ乃至図１ｃを参照して説明した本体１１２及びカバー１１４に対応するため、その構成要素に対する詳細な説明は省略する。
【０１２７】
前記本体６１２は整列突出部６３０を具備している。前記図１ａ乃至図１ｃを参照して説明した整列突出部１３０はその水平断面の形状が扇形１３２で具備されているが、本実施形態による前記整列突出部６３０は図６ａに示したように、その水平断面が四角形６３２（図６ａに斜線で示した領域）でありながら、前記四角形６３２の角が収容部６１６の内側に向いて突出された形で具備される。
【０１２８】
前記電極組立体６２０は、第１電極（図示せず）、第２電極（図示せず）及びセパレータ（図示せず）、第１電極タップ６２４、第２電極タップ６２５、第１電極リード６２６、第２電極リード６２７及び絶縁テープ６２８を具備しており、前記第１電極（図示せず）、第２電極（図示せず）及びセパレータ（図示せず）、第１電極タップ６２４、第２電極タップ６２５、第１電極リード６２６、第２電極リード６２７及び絶縁テープ６２８は、それぞれ図１ａ乃至図１ｃを参照して説明した第１電極１２１、第２電極１２２及びセパレータ１２３、第１電極タップ１２４、第２電極タップ１２５、第１電極リード１２６、第２電極リード１２７及び絶縁テープ１２８に対応するため、その構成要素に対する詳細な説明は省略する。
【０１２９】
前記電極組立体６２０は、前記整列突出部６３０に対応する縁部に整列溝部６４０を具備する。
【０１３０】
また、前記整列溝部６４０は、前記整列突出部６３０に対応する形で具備される。
【０１３１】
前記保護回路モジュール６５０は制御素子６５２及び外部端子６５４を具備し、前記制御素子６５２及び外部端子６５４を具備した前記保護回路モジュール６５０は図１ａ乃至図１ｃを参照して説明した前記制御素子１５２及び外部端子１５４を具備した前記保護回路モジュール１５０に対応するため、詳細な説明は省略する。
【０１３２】
図７ａ及び図７ｂは、本発明の更に他の実施形態による二次電池の一部品であるポーチ及び電極組立体を示す図である。本実施形態では、前記ポーチ及び電極組立体をそれぞれ別途の図面で示しているが、実際には図１ａを参照して説明した二次電池１００と同じく組み立てられていることに留意する。
【０１３３】
図７ａ及び図７ｂを参照して説明すると、本発明の更に他の実施形態による二次電池は、ポーチ７１０及び電極組立体７２０を含んでいる。
【０１３４】
また、前記二次電池は、保護回路モジュール７５０を含む。
【０１３５】
前記ポーチ７１０は、本体７１２及びカバー７１４を具備している。
【０１３６】
前記ポーチ７１０の本体７１２及びカバー７１４は図１ａ乃至図１ｃを参照して説明した本体１１２及びカバー１１４に対応するため、その構成要素に対する詳細な説明は省略する。
【０１３７】
前記本体７１２は整列突出部７３０を具備している。前記図１ａ乃至図１ｃを参照して説明した整列突出部１３０はその水平断面の形状が扇形１３２で具備されているが、本実施形態による前記整列突出部７３０は図７ａに示したように、その水平断面が三角形７３２（図７ａに斜線で示した領域）でありながら、前記整列突出部７３０の斜面が収容部７１６を向いて突出された形で具備される。
【０１３８】
前記電極組立体７２０は、第１電極（図示せず）、第２電極（図示せず）及びセパレータ（図示せず）、第１電極タップ７２４、第２電極タップ７２５、第１電極リード７２６、第２電極リード７２７及び絶縁テープ７２８を具備しており、前記第１電極（図示せず）、第２電極（図示せず）及びセパレータ（図示せず）、第１電極タップ７２４、第２電極タップ７２５、第１電極リード７２６、第２電極リード７２７及び絶縁テープ７２８は、それぞれ図１ａ乃至図１ｃを参照して説明した第１電極１２１、第２電極１２２及びセパレータ１２３、第１電極タップ１２４、第２電極タップ１２５、第１電極リード１２６、第２電極リード１２７及び絶縁テープ１２８に対応するため、その構成要素に対する詳細な説明は省略する。
【０１３９】
前記電極組立体７２０は、前記整列突出部７３０に対応する縁部に整列溝部７４０を具備する。
【０１４０】
また、前記整列溝部７４０は、前記整列突出部７３０に対応する形で、前記電極組立体７２０の角を面取りした形で具備される。
【０１４１】
前記保護回路モジュール７５０は制御素子７５２及び外部端子７５４を具備し、前記制御素子７５２及び外部端子７５４を具備した前記保護回路モジュール７５０は図１ａ乃至図１ｃを参照して説明した前記制御素子１５２及び外部端子１５４を具備した前記保護回路モジュール１５０に対応するため、詳細な説明は省略する。
【０１４２】
図８は本発明のさらに他の実施形態による二次電池を示している。
【０１４３】
図８を参照して説明すると、本発明のさらに他の実施形態による二次電池８００は、ポーチ８１０及び電極組立体８２０を含んでいる。
【０１４４】
また、前記二次電池８００は、保護回路モジュール８５０を含む。
【０１４５】
前記ポーチ８１０は、本体８１２及びカバー８１４を具備している。
【０１４６】
前記本体８１２は、図１ａ乃至図１ｃ参照して説明した本体１１２と対応する構造を具備している。すなわち、前記本体８１２は、図１ａ乃至図１ｃを参照して説明した底面１１２ａ、側面１１２ｂ及び密封部１１２ｃとそれぞれ対応する底面８１２ａ、側面８１２ｂ及び密封部８１２ｃを具備している。
【０１４７】
前記カバー８１４は、図１ａ乃至図１ｃを参照して説明したカバー１１４とは異なる形に具備している。つまり、図８に図示しているように前記本体８１２と対称な形、すなわち、底面８１４ａ、側面８１４ｂ及び密封部８１４ｃを具備している。
【０１４８】
従って、本発明のさらに他の実施形態による二次電池８００は、前記本体８１２による収容部８１６及び前記カバー８１４による収容部８１６であって前記図１ａ乃至図１ｃを参照して説明した二次電池１００の収容部１１６に比べて体積が二倍である収容部８１６を具備することになる。
【０１４９】
前記本体８１２及びカバー８１４は、それぞれ整列突出部８３０を具備している。前記本体８１２に具備された複数の整列突出部８３０と前記カバー８１４に具備された複数の整列突出部８３０は互いに対称な形に具備される。
【０１５０】
前記整列突出部８３０は、前記図１ａ乃至図１ｃを参照して説明した整列突出部１３０と対応するため、詳しい説明は省略する。
【０１５１】
前記電極組立体８２０は、前記収容部８１６に収容されることができるように前記図１ａ乃至図１ｃを参照して説明した電極組立体１２０に比べその厚さが大きいことを除いて、各構成要素は対応している。すなわち、前記電極組立体８２０は、第１電極８２１、第２電極８２２及びセパレータ８２３、第１電極タップ８２４、第２電極タップ８２５、第１電極リード８２６、第２電極リード８２７及び絶縁テープ８２８を具備しており、前記第１電極８２１、第２電極８２２及びセパレータ８２３、第１電極タップ８２４、第２電極タップ８２５、第１電極リード８２６、第２電極リード８２７及び絶縁テープ８２８は、それぞれ図１ａ乃至第１ｃを参照して説明した第１電極１２１、第２電極１２２及びセパレータ１２３、第１電極タップ１２４、第２電極タップ１２５、第１電極リード１２６、第２電極リード１２７及び絶縁テープ１２８と対応するため、その構成要素に対する詳しい説明は省略する。
【０１５２】
前記電極組立体８２０は、整列溝部８４０を具備する。前記整列溝部８４０は、前記図１ａ乃至図１ｃを参照して説明した整列溝部１４０と対応するため、詳しい説明は省略する。
【０１５３】
前記保護回路モジュール８５０は、制御素子８５２及び外部端子８５４を具備し、前記制御素子８５２及び外部端子８５４を具備した前記保護回路モジュール８５０は、図１ａ乃至図１ｃを参照して説明した前記制御素子１５２及び外部端子１５４を具備した前記保護回路モジュール１５０と対応するため、詳しい説明は省略する。
【０１５４】
図９ａ乃至図９ｃは、本発明の一実施形態による二次電池を製造する方法を示す図である。
【０１５５】
図９ａ乃至図９ｃを参照して本発明の一実施形態による二次電池を製造する方法を説明すると、まず図１ｂを参照して説明した前記ポーチ１１０を準備する。
【０１５６】
この際、前記ポーチ１１０の代わりに、図２ａを参照して説明したポーチ２１０、図３ａを参照して説明したポーチ３１０は、図４を参照して説明したポーチ４１０、図５ａを参照して説明したポーチ５１０、図６ａを参照して説明したポーチ６１０、図７ａを参照して説明したポーチ７１０及び図８を参照して説明したポーチ８１０を準備してもよい。
【０１５７】
図１ｄを参照して説明した第１電極１２１ａ、第２電極１２２ａ及びセパレータ１２３ａを準備する。
【０１５８】
この際、前記第１電極１２１ａ、第２電極１２２ａ及びセパレータ１２３ａの代わりに、図２ｂを参照して説明した電極組立体２２０、図３ｂを参照して説明した電極組立体３２０、図４を参照して説明した電極組立体４２０、図５ｂを参照して説明した電極組立体５２０、図６ｂを参照して説明した電極組立体６２０、図７ｂを参照して説明した電極組立体７２０及び図８を参照して説明した電極組立体８２０の第１電極、第２電極及びセパレータを準備してもよい。
【０１５９】
次に、前記ポーチ１１０の収容部１１６に前記第１電極１２１ａ、セパレータ１２３ａ及び第２電極１２２ａを順次に積層して収容する。
【０１６０】
この際、前記ポーチ１１０は、整列突出部１３０を具備しており、前記第１電極１２１ａ、セパレータ１２３ａ及び第２電極１２２ａそれぞれは整列溝部１４０ａを具備しており、前記ポーチ１１０の収容部１１６に収容される前記第１電極１２１ａ、セパレータ１２３ａ及び第２電極１２２ａは、前記収容部１１６で容易に整列される。
【０１６１】
前記収容部１１６に前記第１電極１２１ａ、セパレータ１２３ａ及び第２電極１２２ａの積層が完了すると、前記第１電極１２１ａの一側面から延長された第１電極タップ１２４及び前記第２電極１２２ａの一側面から延長された第２電極タップ１２５をそれぞれ第１電極リード１２６及び第２電極リード１２７に連結する。この際、前記第１電極リード１２６及び第２電極リード１２７の連結は、抵抗溶接などのような溶接方式で連結される。
【０１６２】
前記第１電極リード１２６及び第２電極リード１２７を保護するために前記第１電極リード１２６及び第２電極リード１２７それぞれの所定領域に絶縁テープ１２８を形成する。
【０１６３】
前記カバー１１４で前記本体１１２を蓋う場合、前記本体１１２の密封部１１２ｃとカバー１１４の密封部１１４ｂを融着して前記本体１１２の収容部１１６を密封する。
【０１６４】
前記保護回路モジュール１５０を前記第１電極リード１２６及び第２電極リード１２７に連結して前記二次電池を完成する。
【０１６５】
図１０ａ乃至図１０ｃは、本発明の他の実施形態による二次電池を製造する方法を示す図である。
【０１６６】
図１０ａ乃至図１０ｃを参照して本発明の他の実施形態による二次電池を製造する方法を説明すると、まず図１ｂを参照して説明した前記ポーチ１１０を準備する。
【０１６７】
この際、前記ポーチ１１０の代わりに、図２ａを参照して説明したポーチ２１０、図３ａを参照して説明したポーチ３１０、図４を参照して説明したポーチ４１０、図５ａを参照して説明したポーチ５１０、図６ａを参照して説明したポーチ６１０、図７ａを参照して説明したポーチ７１０及び図８を参照して説明したポーチ８１０を準備してもよい。
【０１６８】
図１ｅを参照して説明した第１電極１２１ｂを準備する。
【０１６９】
この際、前記第１電極１２１ｂ及び第２電極１２２ｂの代わりに、図２ｂを参照して説明した電極組立体２２０、図３ｂを参照して説明した電極組立体３２０、図４を参照して説明した電極組立体４２０、図５ｂを参照して説明した電極組立体５２０、図６ｂを参照して説明した電極組立体６２０、図７ｂを参照して説明した電極組立体７２０及び図８を参照して説明した電極組立体８２０の第１電極及び第２電極の形（勿論、前記第１電極または第２電極は、前記絶縁膜セパレータ１２３ｂを具備している）で準備してもよい。
【０１７０】
この際、図１０ａでは、前記第１電極１２１ｂ及び第２電極１２２ｂが前記絶縁膜セパレータ１２３ｂを具備しているものとして図示されているが、いずれか一つの電極にだけ前記絶縁膜セパレータ１２３ｂを具備してもよい。
【０１７１】
一方、前記第１電極１２１ｂまたは第２電極１２２ｂに前記絶縁膜セパレータ１２３ｂを具備する方法としては、液状コーティング法を利用することによって具備することができる。すなわち、前記絶縁膜セパレータ１２３ｂをスラリーまたは液体状態の絶縁膜セパレータ１２３ｂをディッピング工程またはスプレー工程などの液体コーディング法で前記第１電極１２１ｂまたは第２電極１２２ｂの表面にコーティングすることによって具備することができる。
【０１７２】
次に、前記ポーチ１１０の収容部１１６に前記絶縁膜セパレータ１２３ｂを具備した前記第１電極１２１ｂ及び第２電極１２２ｂを順次に積層させて収容する。
【０１７３】
この際、前記ポーチ１１０は、整列突出部１３０を具備しており、前記第１電極１２１ｂ及び第２電極１２２ｂそれぞれは整列溝部１４０ｂを具備しており、前記ポーチ１１０の収容部１１６に収容する前記第１電極１２１ｂ及び第２電極１２２ｂは、前記収容部１１６で容易に整列される。
【０１７４】
前記収容部１１６で前記第１電極１２１ｂ及び第２電極１２２ｂの積層が完了すると、前記第１電極１２１ｂの一側面から延長された第１電極タップ１２４及び前記第２電極１２２ｂの一側面から延長された第２電極タップ１２５をそれぞれ第１電極リード１２６及び第２電極リード１２７に連結する。この際、前記第１電極リード１２６及び第２電極リード１２７の連結は、抵抗溶接などのような溶接方式で連結される。
【０１７５】
この時、前記第１電極リード１２６及び第２電極リード１２７は、図９ｃを参照して説明した前記絶縁テープ１２８が省略されてもよい。
【０１７６】
それは前記第１電極タップ１２４及び第２電極タップ１２５の所定領域まで前記絶縁膜セパレータ１２３ｂが具備されている場合、前記絶縁膜セパレータ１２３ｂにより前記第１電極タップ１２４及び第２電極タップ１２５が保護されることができるためである。
【０１７７】
前記カバー１１４で前記本体１１２を蓋う場合、前記本体１１２の密封部１１２ｃとカバー１１４の密封部１１４ｂを融着させて前記本体１１２の収容部１１６を密封する。
【０１７８】
前記保護回路モジュール１５０を前記第１電極リード１２６及び第２電極リード１２７に連結させ前記二次電池を完成する。
【０１７９】
図１１ａ乃至図１１ｃは、本発明のさらに他の実施形態による二次電池を製造する方法を示す図である。
【０１８０】
図１１ａ乃至図１１ｃを参照して本発明のさらに他の実施形態による二次電池を製造する方法を説明すると、まず図１ｂを参照して説明した前記ポーチ１１０を準備する。
【０１８１】
この際、前記ポーチ１１０の代わりに、図２ａを参照して説明したポーチ２１０、図３ａを参照して説明したポーチ３１０、図４を参照して説明したポーチ４１０、図５ａを参照して説明したポーチ５１０、図６ａを参照して説明したポーチ６１０、図７ａを参照して説明したポーチ７１０及び図８を参照して説明したポーチ８１０を準備してもよい。
【０１８２】
図１ｆを参照して説明した第１電極１２１ｃ及び第２電極１２２ｃを準備する。
【０１８３】
この際、前記第１電極１２１ｃ及び第２電極１２２ｃの代わりに、図２ｂを参照して説明した電極組立体２２０、図３ｂを参照して説明した電極組立体３２０、図４を参照して説明した電極組立体４２０、図５ｂを参照して説明した電極組立体５２０、図６ｂを参照して説明した電極組立体６２０、図７ｂを参照して説明した電極組立体７２０及び図８を参照して説明した電極組立体８２０の第１電極及び第２電極の形（勿論、前記第１電極または第２電極は前記二枚のセパレータ１２３ｃにより囲まれた形に具備されている）で準備してもよい。
【０１８４】
この際、図１１ａでは前記第１電極１２１ｃが二枚のセパレータ１２３ｃにより囲まれている形を具備されているものとして図示されているが、必要ならば、前記第２電極１２２ｃにも二枚のセパレータ１２３ｃにより囲まれた形で具備されてもよい。
【０１８５】
一方、前記第１電極１２１ｃを二枚のセパレータ１２３ｃにより囲まれた形は、前記二枚のセパレータ１２３ｃの縁部を超音波融着または熱融着で融着されることで形成されることができる。
【０１８６】
次に、前記ポーチ１１０の収容部１１６に前記二枚のセパレータ１２３ｃにより囲まれた前記第１電極１２１ｃ及び第２電極１２２ｃを順次に積層して収容する。
【０１８７】
この際、前記ポーチ１１０は、整列突出部１３０を具備しており、前記第１電極１２１ｃ及び第２電極１２１ｃそれぞれは整列溝部１４０ｃを具備しており、前記ポーチ１１０の収容部１１６に収容される前記第１電極１２１ｃ第２電極１２２は、前記収容部１１６で容易に整列される。
【０１８８】
前記収容部１１６で前記第１電極１２１ｃ及び第２電極１２２ｃの積層が完了されると、前記第１電極１２１ｃの一側面から延長された第１電極タップ１２４及び前記第２電極１２２ｃの一側面から延長された第２電極タップ１２５をそれぞれ第１電極リード１２６及び第２電極リード１２７に連結する。この時、前記第１電極リード１２６及び第２電極リード１２７の連結は抵抗溶接などのような溶接方式で連結される。
【０１８９】
前記第１電極リード１２６及び第２電極リード１２７を保護するために前記第１電極リード１２６及び第２電極リード１２７それぞれの所定領域に絶縁テープ１２８を形成する。
【０１９０】
前記カバー１１４で前記本体１１２を蓋う場合、前記本体１１２の密封部１１２ｃとカバー１１４の密封部１１４ｂを融着させ前記本体１１２の収容部１１６を密封する。
【０１９１】
前記保護回路モジュール１５０を前記第１電極リード１２６及び第２電極リード１２７に連結して前記二次電池を完成する。
【０１９２】
図１２ａ乃至図１２ｃは、本発明のさらに他の実施形態による二次電池を製造する方法を示す図である。
【０１９３】
図１２ａ乃至図１２ｃを参照して本発明のさらに他の実施形態による二次電池を製造する方法を説明すると、まず図８を参照して説明した前記ポーチ８１０を準備する。
【０１９４】
次に、第１電極８２１、第２電極８２２及びセパレータ８２３を準備する。
【０１９５】
次に、前記第１電極８２１、第２電極８２２及びセパレータ８２３の代わりに図１ｄを参照して説明した第１電極１２１ａ、第２電極１２２ａ及びセパレータ１２３ａを準備してもよく、前記図１ｅを参照して説明した絶縁膜セパレータ１２３ｂを具備した第１電極１２１ｂ及び第２電極１２２ｂを準備してもよく、前記図１ｆを参照して説明した二枚のセパレータ１２３ｃで囲まれた第１電極１２１ｃ及び第２電極１２２ｃを準備してもよい。
【０１９６】
この際、前記第１電極８２１及び第２電極８２２の代わりに、図２ｂを参照して説明した電極組立体２２０、図３ｂを参照して説明した電極組立体３２０、図４を参照して説明した電極組立体４２０、図５ｂを参照して説明した電極組立体５２０、図６ｂを参照して説明した電極組立体６２０、図７ｂを参照して説明した電極組立体７２０及び図８を参照して説明した電極組立体８２０の第１電極及び第２電極の形で準備してもよい。
【０１９７】
次に、前記ポーチ８１０の本体８１２及びカバー８１４にそれぞれ具備された収容部８１６それぞれに前記第１電極８２１、セパレータ８２３及び第２電極８２２が順次に積層されるように前記第１電極８２１、セパレータ８２３及び第２電極８２２を積層される。
【０１９８】
この際、前記本体８１２の収容部８１６に最後に積層された電極と前記カバー８１４の収容部８１６に最後に積層された電極は、互いに異なる電極となるよう前記第１電極８２１及び第２電極８２２が収容されるように積層されるのが好ましい。これは前記本体８１２の収容部８１６と前記カバー８１４の収容部８１６とを合わせたとき、前記本体８１２の収容部８１６に最後に積層された電極と前記カバー８１４の収容部８１６に最後に積層された電極が異なる電極となるようにするためである。
【０１９９】
このとき、前記ポーチ８１０は、整列突出部８３０を具備しており、前記第１電極８２１、第２電極８２２及びセパレータ８２３それぞれは整列溝部８４０を具備しており、前記ポーチ８１０の収容部８１６に収容される前記第１電極８２１、第２電極８２２及びセパレータ８２３は、前記収容部８１６で容易に整列される。
【０２００】
前記収容部８１６で前記第１電極８２１、第２電極８２２及びセパレータ８２３の積層が完了され、前記本体８１２にカバー８１４が結合され、前記本体８１２の収容部８１６と前記カバー８１４の収容部８１６が互いに対応する。
【０２０１】
前記第１電極８２１の一側面から延長された第１電極タップ８２４及び前記第２電極８２２の一側面から延長された第２電極タップ８２５をそれぞれ第１電極リード８２６及び第２電極リード８２７に連結する。この際、前記第１電極リード８２６及び第２電極リード８２７の連結は、抵抗溶接などのような溶接方式で連結される。
【０２０２】
前記第１電極リード８２６及び第２電極リード８２７を保護するために前記第１電極リード８２６及び第２電極リード８２７それぞれの所定領域に絶縁テープ８２８を形成する。
【０２０３】
そして、前記本体８１２の密封部８１２ｃ及び前記カバー８１４の密封部８１４ｃを密封してそれぞれの前記収容部８１６が密封される。
【０２０４】
前記保護回路モジュール８５０を前記第１電極リード８２６及び第２電極リード８２７に連結して前記二次電池を完成する。
【０２０５】
以下、本発明を前記実施形態を例に挙げて説明したが、本発明はこれに限定されるものではない。当業者であれば、本発明の趣旨及び範囲から逸脱しない範囲内で修正、変更することができ、このような修正及び変更も本発明に属するものであることがわかるはずである。
【符号の説明】
【０２０６】
１１０  ポーチ
１１２  本体
１１４  カバー
１２０  電極組立体
１３０  整列突出部
１４０  整列溝部
【図１ａ】
2011065996.tif 000003
【図１ｂ】
2011065996.tif 000004
【図１ｃ】
2011065996.tif 000005
【図１ｄ】
2011065996.tif 000006
【図１ｅ】
2011065996.tif 000007
【図１ｆ】
2011065996.tif 000008
【図２ａ】
2011065996.tif 000009
【図２ｂ】
2011065996.tif 000010
【図３ａ】
2011065996.tif 000011
【図３ｂ】
2011065996.tif 000012
【図４】
2011065996.tif 000013
【図５ａ】
2011065996.tif 000014
【図５ｂ】
2011065996.tif 000015
【図６ａ】
2011065996.tif 000016
【図６ｂ】
2011065996.tif 000017
【図７ａ】
2011065996.tif 000018
【図７ｂ】
2011065996.tif 000019
【図８】
2011065996.tif 000020
【図９ａ】
2011065996.tif 000021
【図９ｂ】
2011065996.tif 000022
【図９ｃ】
2011065996.tif 000023
【図１０ａ】
2011065996.tif 000024
【図１０ｂ】
2011065996.tif 000025
【図１０ｃ】
2011065996.tif 000026
【図１１ａ】
2011065996.tif 000027
【図１１ｂ】
2011065996.tif 000028
【図１１ｃ】
2011065996.tif 000029
【図１２ａ】
2011065996.tif 000030
【図１２ｂ】
2011065996.tif 000031
【図１２ｃ】
2011065996.tif 000032